(57)【要約】【課題】本発明は、一方の輪状巻線カバーの支柱又は係止用突起体を他方の輪状巻線カバーの凹部又は筒状突起体のテーパを介して簡単且つ正確に結合することを目的とする。【解決手段】本発明による回転検出器用ステータ構造は、第１又は第２輪状巻線カバー（１０，１１）の係止用突起体（１２Ａ）又は支柱（１２）を第１又は第２輪状巻線カバー（１０，１１）の筒状突起体（１３）又は凹部（１３Ａ）のテーパ部（１３ａ）又は（１３Ａａ）を介して挿入し、簡単かつ正確に結合する構成である。【選択図】　　　　図１
2004135402.tif 000002
【特許請求の範囲】
【請求項１】
全体形状が輪状をなし内方へ向けて突出する複数の磁極（２）を有するステータ体（１）と、前記磁極（２）に絶縁部材（３，４）を介して設けられたステータ巻線（５）と、前記ステータ体（１）の両面に設けられ前記ステータ巻線（５）を覆うための第１、第２輪状巻線カバー（１０，１１）とからなる回転検出器用ステータ構造において、
前記第１又は第２輪状巻線カバー（１０，１１）に設けられ係止爪（３１）を有する係止用突起体（１２Ａ）と、前記第１又は第２輪状巻線カバー（１０，１１）に設けられ輪状テーパ部（１３ａ）を有する筒状突起体（１３）とを備え、前記係止用突起体（１２）が前記輪状テーパ部（１３ａ）を介して前記筒状突起体（１３）内に挿入され、前記係止爪（３１）が前記輪状テーパ部（１３ａ）の裏側に位置する係止段部（１３ｂ）に係止されることにより前記第１、第２輪状巻線カバー（１０，１１）が互いに結合されるように構成したことを特徴とする回転検出器用ステータ構造。
【請求項２】
前記係止用突起体（１２）の先端部には割り溝（３０）が形成されていることを特徴とする請求項１記載の回転検出器用ステータ構造。
【請求項３】
全体形状が輪状をなし内方へ向けて突出する複数の磁極（２）を有するステータ体（１）と、前記磁極（２）に絶縁部材（３，４）を介して設けられたステータ巻線（５）と、前記ステータ体（１）の両面に設けられ前記ステータ巻線（５）を覆うための第１、第２輪状巻線カバー（１０，１１）とからなる回転検出器用ステータ構造において、
前記第１又は第２輪状巻線カバー（１０，１１）に設けられた支柱（１２）と、前記第１又は第２輪状巻線カバー（１０，１１）に設けられテーパ部（１３Ａａ）を有する凹部（１３Ａ）とを備え、前記支柱（１２）が前記テーパ部（１３Ａａ）を介して前記凹部（１３Ａ）の底部（１３Ａｂ）と当接して溶着され、前記第１、第２輪状巻線カバー（１０，１１）が互いに結合されるように構成したことを特徴とする回転検出器用ステータ構造。
【請求項４】
前記支柱（１２）は板状をなし、前記テーパ部（１３Ａａ）は四角枠形をなしていることを特徴とする請求項３記載の回転検出器用ステータ構造。
【発明の詳細な説明】
【０００１】
【発明の属する技術分野】
本発明は、回転検出器用ステータ構造に関し、特に、輪状巻線カバーに設けられた係止用突起体又は支柱をテーパ部を介して正確に筒状突起体又は凹部に係合させ、正確かつ簡単に各輪状巻線カバーをステータ体と共に結合させるための新規な改良に関する。
【０００２】
【従来の技術】
従来、用いられていたこの種の回転検出器用ステータ構造としては、図１３から図１６の構成がある（例えば、特許文献１参照）。
すなわち、図１３から図１６において、符号１で示されるものは全体形状が輪状をなし内方へ向けて突出する複数の磁極２を所定の角度間隔で有する積層形のステータ体であり、このステータ体１の両面には第１、第２絶縁部材３、４が設けられている。
前記各磁極２には、前記第１、第２絶縁部材３、４を介してステータ巻線５が巻回して設けられている。
【０００３】
さらに、前記ステータ体１の両面には、前記各磁極２に巻回されたステータ巻線５を覆うために第１、第２輪状巻線カバー１０，１１が設けられている。
前記第１輪状巻線カバー１０には、軸方向に沿って内方へ突出する板状の支柱１２が設けられ、前記第２輪状巻線カバー１１の内側には、前記各支柱１２に対応するように平坦な溶着面１３が形成されている。
従って、図１３に示されるようにステータ体１に対して第１、第２輪状巻線カバー１０、１１を取付けた場合、各支柱１２がステータ体１のスロット１５を貫通して前記溶着面１３に当接し、この当接した部分を超音波ボンダーで超音波溶接して固定していた。
【０００４】
【特許文献１】
特開平１１−９８７４８号公報
【０００５】
【発明が解決しようとする課題】
従来の回転検出器用ステータ構造は、以上のように構成されていたため、次のような課題が存在していた。
すなわち、第２輪状巻線カバーの溶着面は単なる平坦面であるため、例えば、前記支柱が射出成形時に精度がバラツキを発生し、変形や歪を保持していた場合には、そのままの状態で各輪状巻線カバーが固着され、各支柱がスロットを通過する際にステータ巻線が損傷することがあり、歩留まりの低下となることがあった。
従って、射出成形精度に全面的に依存することになり、組立は時の大きい障害となっていた。
【０００６】
本発明は、以上のような課題を解決するためになされたもので、特に、輪状巻線カバーに設けられた係止用突起体又は支柱をテーパ部を介して正確に筒状突起体又は凹部に係合させ、正確かつ簡単に各輪状巻線カバーをステータ体と共に結合させるようにした回転検出器用ステータ構造を提供することを目的とする。
【０００７】
【課題を解決するための手段】
本発明による回転検出器用ステータ構造は、全体形状が輪状をなし内方へ向けて突出する複数の磁極を有するステータ体と、前記磁極に絶縁部材を介して設けられたステータ巻線と、前記ステータ体の両面に設けられ前記ステータ巻線を覆うための第１、第２輪状巻線カバーとからなる回転検出器用ステータ構造において、前記第１又は第２輪状巻線カバーに設けられ係止爪を有する係止用突起体と、前記第１又は第２輪状巻線カバーに設けられ輪状テーパ部を有する筒状突起体とを備え、前記係止用突起体が前記輪状テーパ部を介して前記筒状突起体内に挿入され、前記係止爪が前記輪状テーパ部の裏側に位置する係止段部に係止されることにより前記第１、第２輪状巻線カバーが互いに結合されるようにした構成であり、また、前記係止用突起体の先端部には割り溝が形成されている構成であり、また、全体形状が輪状をなし内方へ向けて突出する複数の磁極を有するステータ体と、前記磁極に絶縁部材を介して設けられたステータ巻線と、前記ステータ体の両面に設けられ前記ステータ巻線を覆うための第１、第２輪状巻線カバーとからなる回転検出器用ステータ構造において、前記第１又は第２輪状巻線カバーに設けられた支柱と、前記第１又は第２輪状巻線カバーに設けられテーパ部を有する凹部とを備え、前記支柱が前記テーパ部を介して前記凹部の底部と当接して溶着され、前記第１、第２輪状巻線カバーが互いに結合されるようにした構成であり、また、前記支柱は板状をなし、前記テーパ部は四角枠形をなしている構成である。
【０００８】
【発明の実施の形態】
以下、図面と共に本発明による回転検出器用ステータ構造の好適な実施の形態について説明する。尚、従来例と同一又は同等部分には同一符号を付して説明する。
図１から図３において、符号１で示されるものは全体形状が輪状をなし内方へ向けて突出する複数の磁極２を所定の角度間隔で有する積層形（積層形でなくても可）のステータ体であり、このステータ体１の両面には第１、第２絶縁部材３、４が設けられている。尚、この絶縁部材３、４は別体の場合とインサート成形による一体モールドの場合がある。
前記各磁極２には、前記第１、第２絶縁部材３、４を介してステータ巻線５が巻回して設けられている。
【０００９】
さらに、前記ステータ体１の両面には、前記各磁極２に巻回されたステータ巻線５を覆うために第１、第２輪状巻線カバー１０、１１が設けられている。
前記第１輪状巻線カバー１０（第２輪状巻線カバー１１の場合も可）には、軸方向に沿って内方へ突出する棒状でかつその先端部に割り溝３０によって形成された係止爪３１を有する係止用突起体１２Ａが一体に複数個設けられている。
【００１０】
従って、図１３に示されるようにステータ体１に対して第１、第２輪状巻線カバー１０、１１を取付けれた場合、各係止用突起体１２Ａがステータ体１のスロット１５を貫通して前記筒状突起体１３と強固に係合して相互に結合する。
前述の場合、前記係止用突起体１２Ａの複数の係止爪３１が割り溝３０によって矢印Ａの方向に沿って変形又は歪みを伴って筒状突起体１３の輪状テーパ部１３ａと係合して貫通した後に、この筒状突起体１３の裏側の係止段部１３ｂに周知のスナップアクション（スナップフィット）によって係止される。
【００１１】
次に、図７から図１０で示す構成は、本発明の他の実施の形態を示すもので、図１から図６で示される実施の形態と同一部分には同一符号を付して、その説明を省略し、異なる部分についてのみ説明する。
すなわち、第１輪状巻線カバー１０に形成された板状の各支柱１２は、ステータ体１の各スロット１５を貫通して第２輪状巻線カバー１１の各凹部１３Ａの四角枠形のテーパ部１３Ａａを介して底部１３Ａｂに当接する。
【００１２】
前述の状態で、第２輪状巻線カバー１１の裏側を周知の超音波ボンダーによって処理することにより、支柱１２の先端と前記底部１３Ａｂとは互いに溶着し結合する。
尚、第１、第２輪状巻線カバー１０、１１に形成した係止用突起体１２Ａ、筒状突起体１３、支柱１２及び凹部１３Ａは、前述の形態に限ることなく、互いに逆の輪状巻線カバー１０又は１１に形成して構成した場合も同一の作用効果を得ることができることは述べるまでもないことである。
【００１３】
【発明の効果】
本発明による回転検出器用ステータ構造は、以上のように構成されているため、次のような効果を得ることができる。
すなわち、輪状巻線カバーに設けられた係止用突起体又は支柱が、輪状巻線カバーに設けられた筒状突起体の輪状テーパ部又は凹部のテーパ部を介して所定の位置に簡単かつ正確に位置決めされ、従来のように、スロットを貫通する際にステータ巻線を損傷することもなく、各輪状巻線カバーの相互結合を達成することができる。
また、図１から図６の構成の場合は、係止用突起体と係止段部によるスナップアクションによって簡単に相互結合が達成できる。
【図面の簡単な説明】
【図１】本発明による回転検出器用ステータ構造を示す分解構成図である。
【図２】図１の要部の右側面図である。
【図３】図１の要部の右側面図である。
【図４】図１の要部の左側面図である。
【図５】図４の要部の拡大図である。
【図６】図４の要部の断面Ｂ−Ｂ拡大図である。
【図７】本発明による回転検出器用ステータ構造の他の形態を示す分解構成図である。
【図８】図７の要部を示す右側面図である。
【図９】図７の要部の右側面図である。
【図１０】図７の要部の左側面図である。
【図１１】図１０の要部の拡大図である。
【図１２】図１０の断面Ｂ−Ｂ拡大図である。
【図１３】従来構成の分解構成図である。
【図１４】図１３の要部の右側面図である。
【図１５】図１３の要部の右側面図である。
【図１６】図１３の要部の左側面図である。
【符号の説明】
１　　ステータ体
２　　磁極
３、４　　絶縁部材
５　　ステータ巻線
１０、１１　　第１、第２輪状巻線カバー
１２　　支柱
１２Ａ　　係止用突起体
１３　　筒状突起体
１３ａ　　輪状テーパ部
１３ｂ　　係止段部
１３Ａ　　凹部
１３Ａａ　　テーパ部
１３Ａｂ　　底部
３０　　割り溝
３１　　係止爪
【図１】
2004135402.tif 000003
【図２】
2004135402.tif 000004
【図３】
2004135402.tif 000005
【図４】
2004135402.tif 000006
【図５】
2004135402.tif 000007
【図６】
2004135402.tif 000008
【図７】
2004135402.tif 000009
【図８】
2004135402.tif 000010
【図９】
2004135402.tif 000011
【図１０】
2004135402.tif 000012
【図１１】
2004135402.tif 000013
【図１２】
2004135402.tif 000014
【図１３】
2004135402.tif 000015
【図１４】
2004135402.tif 000016
【図１５】
2004135402.tif 000017
【図１６】
2004135402.tif 000018